(57)【要約】【課題】固定枠に対し前面体と本体とが１つのヒンジ機構で開閉可能に支持されるようにすることで、複雑な構成とスペースを要しないようにする。【解決手段】前面が開口した方形枠状の固定枠１と、該固定枠にヒンジ機構２により開閉可能なるように支持された前面体３と、該前面体の裏面に着脱可能に配設されていて該前面体を閉じた際に固定枠１内に収容される本体４とからなり、該本体と前記前面体とを施錠し該本体と前記固定枠とを施錠する施錠装置５を備えている。【選択図】図１６
2018000731.tif 000002
【特許請求の範囲】
【請求項１】
前面が開口した方形枠状の固定枠と、該固定枠にヒンジ機構により開閉可能なるように支持された前面体と、該前面体の裏面に着脱可能に配設されていて該前面体を閉じた際に前記固定枠内に収容される本体とからなり、該本体と前記前面体とを施錠するとともに該本体と前記固定枠とを施錠する施錠装置が設けられていることを特徴とする遊技機。
【請求項２】
前記施錠装置に前記本体と前記前面体との施錠状態を解除できないようにするロック部材を設け、該ロック部材をロック解除するロック解除部材を前記固定枠に設け、該固定枠内に前記本体が収容されたときに該ロック解除部材が前記本体と前記前面体との施錠状態を解除可能にすることを特徴とする請求項１に記載した遊技機。
【請求項３】
前記ヒンジ機構は、前記固定枠の下辺部に第１アームと第２アームとを水平面内で前方に回転し得るように枢着し、該第１アームと第２アームとにより前記前面体を軸支するものであることを特徴とする請求項１または２に記載した遊技機。
【発明の詳細な説明】
【技術分野】
【０００１】
本発明は、パチンコ機等の遊技機の構成に関し、詳しくは、固定枠に開閉可能なるように支持された前面体と、該前面体の裏面に係脱可能に配設される本体とからなる遊技機に関するものである。
【背景技術】
【０００２】
例えば下記特許文献１に示されたように、パチンコ機等の遊技機は、遊技場に設けられた島台に前面が開口した方形枠状の固定枠（機枠または外枠とも称される）が隣接状に多数固設され、該固定枠の一側辺部に設けられた蝶番によって本体（本体枠、遊技盤取付枠、遊技機本体または機構板とも称される）をヒンジすることにより該固定枠の前面に該本体を前方へ開閉可能に支持し、該本体の前面にさらに前面体（透明板保持枠またはガラス枠または前面扉とも称される）が開閉可能に設けられ、前記固定枠と本体と前面体の自由端側縁に施錠装置が設けられ、該施錠装置によって該固定枠と本体、および該本体と前面体とが施錠されるように構成されている。そして、遊技機の前面に露呈するように設けられた鍵孔に所定のキーを挿し込んで該キーを一方向に回転すると、該施錠装置の作動杆が上動して前記本体と前面体との間が解錠され、遊技中に球詰まり等のトラブルが発生した場合等に該前面体を開けることで対処し得るとともに、該キーを反対方向に回転すると該施錠装置の作動杆が下動して本体と前記固定枠との間が解錠されるように構成している。
【０００３】
一方、近年のパチンコ機等の遊技機は、前記前面体の両側縁部および上部等に装飾体や種々の演出装置が前方へ大きく突出するように設けられる傾向にある。このため、前面体を開ける際に上記突出部分がこの遊技機の両側に設けられている他の遊技機や球貸装置と干渉し、衝突により破損するおそれがあるほか、前面体を開ける際の開角度がこれによって制限されてしまうので、前面体を開けてメンテナンス作業をする際に支障が生じるおそれがあった。そこで、下記特許文献２，３に示された発明では、固定枠に横方向に延びるガイド溝を設け、遊技機や前面体を開いた際にその軸支部が該ガイド溝にそって内方に移動し得るようにすることで、開放時の干渉を避けようとしている。また特許文献４には、多軸蝶番を用いて遊技機を固定枠に支持することにより干渉が回避されるようにする発明が示されている。
【先行技術文献】
【特許文献】
【０００４】
【特許文献１】特許第５７６９９１７号公報
【特許文献２】特許第４６６５４０７号公報
【特許文献３】特許第４３２０４６０号公報
【特許文献４】特開平９−２５３３０２号公報
【発明の概要】
【発明が解決しようとする課題】
【０００５】
ところで、特許文献１に示されたように、固定枠の一側辺部に本体と前面体とをそれぞれ開閉可能にヒンジした構成の遊技機では、狭い部位に本体用の蝶番と前面体用の蝶番を並設せねばならず、その占有スペースが大きくなるため、他の部品の配置に邪魔になるという問題がある。
【０００６】
また、特許文献２，３に示されたヒンジ構造では、本体と前面体とをそれぞれ開閉可能にヒンジすることが難しいという問題があるとともに、本体や前面体を開状態にしても該本体や前面体の軸支部は固定枠から離間しないので、固定枠と本体や前面体との間に十分な間隔がなく、細部のメンテナンス作業を行なうといったことができないという問題がある。また、上記特許文献４に示された多軸蝶番を用いる発明では、本体と前面体とをそれぞれ多軸蝶番によりヒンジする必要があるので、多軸蝶番を配置するに要するスペースが非常に大きくなってしまうという問題がある。
【課題を解決するための手段】
【０００７】
本発明に係る遊技機は上記課題を解決しようとするもので、前面が開口した方形枠状の固定枠と、該固定枠にヒンジ機構により開閉可能なるように支持された前面体と、該前面体の裏面に着脱可能に配設されていて該前面体を閉じた際に前記固定枠内に収容される本体とからなり、該本体と前記前面体とを施錠するとともに該本体と前記固定枠とを施錠する施錠装置が設けられていることを特徴とする。
このため固定枠に対し前面体と本体とが１つのヒンジ機構で開閉可能に支持され省スペースになるとともに遊技機の構成が簡素化される。
【０００８】
また、本発明は上記遊技機において、前記施錠装置に前記本体と前記前面体との施錠状態を解除できないようにするロック部材を設け、該ロック部材をロック解除するロック解除部材を前記固定枠に設け、該固定枠内に前記本体が収容されたときに該ロック解除部材が前記本体と前記前面体との施錠状態を解除可能にすることを特徴とする。
このため固定枠内に収容されていない状態で本体が前面体から離脱してしまうといったトラブルを防止できる。
【０００９】
また、本発明は上記遊技機において、前記ヒンジ機構は、前記固定枠の下辺部に第１アームと第２アームとを水平面内で前方に回転し得るように枢着し、該第１アームと第２アームとにより前記前面体を軸支するものであることを特徴とする。
このため前面体や本体を干渉のおそれなく前方に大きく開くことができる。
【発明の効果】
【００１０】
固定枠に対し前面体と本体とが１つのヒンジ機構で開閉可能に支持されるので、従来のような複雑な構成とスペースを要さず、遊技機の構成が簡素化される。また、前面体や本体を干渉のおそれなく前方に大きく開くことができ、点検やメンテナンス作業を容易にする。
【図面の簡単な説明】
【００１１】
【図１】本発明に係る遊技機の固定枠の斜視図。
【図２】図１の固定枠に設けられたヒンジ機構の作動状態を示す斜視図。
【図３】本発明に係る遊技機の固定枠の内面の一部の斜視図。
【図４】本発明に係る遊技機の前面体を開いた状態の斜視図。
【図５】本発明に係る遊技機の斜視図。
【図６】本発明に係る遊技機の左側縁の水平断面図。
【図７】本発明に係る遊技機の施錠装置部分の縦断面図。
【図８】図７の上部の拡大図。
【図９】本発明に係る遊技機の施錠装置上部の斜視図。
【図１０】図９の作動状態を示す施錠装置上部の斜視図。
【図１１】図１０の作動状態を示す施錠装置上部の斜視図。
【図１２】本発明に係る遊技機の前面体を開いた状態の斜視図。
【図１３】図１２に示した状態の遊技機の左側縁の水平断面図。
【図１４】本発明に係る遊技機の前面体と本体を開いた状態の斜視図。
【図１５】図１４に示した状態の遊技機の左側縁の水平断面図。
【図１６】本発明に係る遊技機の前面体と本体とを大きく開いた状態の斜視図。
【発明を実施するための形態】
【００１２】
次に本発明の実施形態をパチンコ機について説明する。図１，図２にこの遊技機の固定枠１を示す。固定枠１は機枠または外枠とも称されるもので、前面が開口する縦長方形枠状に形成され、遊技場の島台に多数が並設される。そして、該固定枠１の下辺部１ａにヒンジ機構２を固設する。該ヒンジ機構２は、支持基板２ａの長手方向略中間部位に第１枢着部２ｂを設けて第１アーム２ｃを図２に示したように水平面内で前方に回転し得るように枢着し、該第１アーム２ｃの先端部に第１軸支部２ｄを設け、該第１枢着部２ｂから離れた部位である支持基板２ａの他端部寄りに第２枢着部２ｅを設け、該第２枢着部２ｅに第２アーム２ｆを水平面内で前方に回転し得るように枢着し、該第２アーム２ｆの先端部に第２軸支部２ｇを設けてなる。なお、該第２アーム２ｆはアーム外材２ｈの内側にアーム内材２ｉを進退動可能に設けることにより伸縮可能に構成される。２ｊは第１軸支部２ｄと第２軸支部２ｇとを繋いでいるリンクである。また、該固定枠１の上辺部１ｂに前記第１アーム２ｃと同様の上第１アーム２ｋを同じく前方に回転し得るように枢着し、該上第１アーム２ｋの先端部に設けられた上第１軸支部２ｍが前記第１軸支部２ｄの直上にて相対するようにしている。
【００１３】
なお、該固定枠１の向かって左側の側辺部１ｃの内面にリブ１ｅが縦筋状に形成されている。また、図３に示したように該固定枠１の向かって右側の側辺部１ｄの内面の上下位置に一対の鉤状の係合片１ｆ，１ｇが固設されている。また、該側辺部１ｄの上部内面に、前縁部１ｉがクサビ状に形成されたロック解除部材１ｈを固設している。
【００１４】
上記ヒンジ機構２によっては図４に示したように前面体３を支持する。前面体３は透明板保持枠またはガラス枠または前面扉とも称されるもので、複層ガラスからなる透明板３ａが保持され、該透明板３ａの両側縁部および上部等に電飾装飾体や演出装置等からなる演出装飾部材３ｂが前方へ大きく突出するように形成されている。また、図５に示すように、該前面体３の前面下部に景品球が払い出される上皿３ｃ，下皿３ｄ、および、打球発射装置３ｅ等が設けられている。そして、該前面体３の裏側下部に軸受部材３ｆを固設し、該軸受部材３ｆに前記第１軸支部２ｄと第２軸支部２ｇを回転自在に遊嵌する。また、該前面体３の裏側上部に軸受部材３ｇを固設し、該軸受部材３ｇに前記上第１軸支部２ｍを回転自在に遊嵌する。このように、ヒンジ機構２および前記上第１アーム２ｋにより支持することで、固定枠１の前面に前面体３を開閉可能に設ける。なお、図４に示したように、前面体３の自由端縁の裏面に係合孔３ｈ，３ｉ，３ｊが縦一列に形成されている。
【００１５】
一方、本体４は、本体枠、遊技盤取付枠または遊技機本体とも称されるもので、前面が開口したボックス状に形成され、後側上部に景品球タンク４ａが設けられ、ボックス内に景品球払出装置，払出制御基板，電源供給装置等が設けられ、前面には遊技盤４ｂが交換可能に設けられている。また、図７、および、図１４、図１６に示されるように、該本体４の一側縁に施錠装置５が設けられ、該施錠装置５には前記係合片１ｆ，１ｇに係合し得るフック５ａ，５ｂが該本体４の裏側に突出するように設けられているとともに、前記係合孔３ｈ，３ｉ，３ｊに係合し得るフック５ｃ，５ｄ，５ｅが該本体４の表側に突出するように設けられている。図７、図８に示したように、前記フック５ａ，５ｂは、先端縁５ａ′，５ｂ′が斜め上向きに切り欠かれた上向きの鈎状に形成されている。また、フック５ｃ，５ｄ，５ｅは、先端縁５ｃ′，５ｄ′，５ｅ′が斜め下向きに切り欠かれた下向きの鈎状に形成されている。該施錠装置５は、縦長板５ｆを本体４の一側縁に固着し、該縦長板５ｆに沿って上下動し得るように作動杆５ｇが設けられ、作動杆５ｇには該作動杆５ｇを上動状態から中立位置に復帰させる引張バネ５ｈと該作動杆５ｇを下動状態から中立位置に復帰させる引張バネ５ｉが設けられている。そして該作動杆５ｇに前記フック５ａ，５ｂを後方に突出するように設けるとともに前記フック５ｃ，５ｄ，５ｅを前方に突出するように設けている。また、該縦長板５ｆの下部にシリンダ錠６を固設し、該シリンダ錠６の回転中心軸をカム部材を介して作動杆５ｇと係合している。該シリンダ錠６は本体４の自由端側縁に形成された凸部４ｊ内に設けられていて、前面体３を閉じたとき該凸部４ｊが該前面体３の自由端側縁に形成された切欠部３ｋ内に合致し、該シリンダ錠６の鍵孔が遊技機の前面に露呈するようにしている。このため、該鍵孔に所定のキーを挿し込んで、該キーを一方向に回転操作すると、カム部材を介して作動杆５ｇが上動せられ、フック５ｃ，５ｄ，５ｅが上動する。また、該キーを反対方向に回転操作すると、カム部材を介して作動杆５ｇが下動せられ、フック５ａ，５ｂを下動させる。なお、キーを回転操作していないときは前記引張バネ５ｈ，５ｉの作用によって該作動杆５ｇは中立位置に復帰する。
【００１６】
また、図８に拡大示したように、フック５ａの基部に縦長孔５ｋが形成され、縦長板５ｆに固植されたピン５ｊを該縦長孔５ｋに遊嵌している。また、引張バネ５ｍを該フック５ａの基部に係止することにより該フック５ａを上方に付勢している。このため該フック５ａは該縦長孔５ｋの範囲内にて弾性的に上下動し得る。同様にフック５ｂについても上方に付勢する引張バネ（図示せず）があり、縦長孔（図示せず）の範囲内にて弾性的に上下動し得るよう構成されている。このようにフック５ａ，５ｂは、弾性的に上下動し得るように作動杆５ｇに取着されていることで、本体４を固定枠１内に収納する際に、該フック５ａ，５ｂの先端縁５ａ′，５ｂ′が前記係合片１ｆ，１ｇに当たり該フック５ａ，５ｂが該係合片１ｆ，１ｇに係合し自然に施錠される。また、前記フック５ｃ，５ｄ，５ｅも同様に弾性的に上下動し得るように取着されており、前面体３を閉じたときに該フック５ｃ，５ｄ，５ｅの先端縁５ｃ′，５ｄ′，５ｅ′が前記係合孔３ｈ，３ｉ，３ｊの縁に当たることで該フック５ｃ，５ｄ，５ｅが該係合孔３ｈ，３ｉ，３ｊに自然に係合し施錠されるようにしている。
【００１７】
次に前面体３と本体４とを離脱不能にするロック機構について説明する。図８，図９に示すように、前記縦長板５ｆの上部にピン７ａを後方向きに突設し、該ピン７ａにロック部材７を回転自在に支持する。該ロック部材７は、上端に形成した巻曲部７ｂにピン７ａを貫挿するとともに、該ピン７ａに外挿された巻バネ７ｃの一端を該ロック部材７に形成されたバネ掛部７ｄに係合することにより、該ロック部材７の下端折曲部７ｅが該縦長板５ｆの外面に圧接するように該ロック部材７を付勢している。そして、該下端折曲部７ｅは前記作動杆５ｇの上端縁と対峙し、図９に示したように該下端折曲部７ｅが縦長板５ｆの外面に圧接した状態では作動杆５ｇの上端縁が該下端折曲部７ｅに当接し該作動杆５ｇを上動させないようにロックする。このようにロック部材７が作動杆５ｇを上動させないことによっては、フック５ｃ，５ｄ，５ｅと係合孔３ｈ，３ｉ，３ｊとの係合状態が保持され、前面体３と本体４とを離脱不能にする。
一方、固定枠１内に本体４が収納された状態では、図１０に示したように前記ロック解除部材１ｈの前縁部１ｉがロック部材７に当接し、巻バネ７ｃの弾性に抗して該ロック部材７の下端折曲部７ｅを縦長板５ｆから離間させる。このため該作動杆５ｇは図１１に示したように上動可能となる。
【００１８】
このように構成した遊技機では、図５に示したように、固定枠１に対し前面体３と本体４とを閉じた状態では、フック５ａ，５ｂが係合片１ｆ，１ｇに係合し、フック５ｃ，５ｄ，５ｅが係合孔３ｈ，３ｉ，３ｊに係合することで、該前面体３と本体４が閉状態に保持される。なお、このように閉状態としたとき、この遊技機の向かって左側縁では、図６に示したように固定枠１の側辺部１ｃに形成されたリブ１ｅの裏側に本体４の左側縁外面に縦方向に形成されたリブ４ｋが入り組むことで、該固定枠１内に本体４が隙間無く収納されるとともに、該本体４の左側縁前面部に内向きに形成されたリブ４ｍに対し前面体３の裏側縁に外向きに形成された縁材３ｍが入り組むことで該本体４と前面体３との隙間も無くなる。このため、不正を目的として針金、ピアノ線等を遊技機内に侵入させることが困難となり不正行為が防止される。
【００１９】
一方、シリンダ錠６の鍵孔に所定のキーを挿し込んで該キーを一方向に回転操作し作動杆５ｇを上動させることによっては、フック５ｃ，５ｄ，５ｅが上動して係合孔３ｈ，３ｉ，３ｊとの係合が解かれて、図１２に示したように前面体３を開けることができ、例えば遊技盤４ｂ上で球詰まり等のトラブルが発生した場合等に対処することができる。このとき遊技機の左側縁では、図１３に示したように、前面体３に形成された縁材３ｍは本体４に形成されたリブ４ｍから斜め後方に退避する。このため開閉時に縁材３ｍとリブ４ｍとが干渉することがない。
なお、このとき前記ロック部材７は図１０に示したようにロック解除部材１ｈによって下端折曲部７ｅを縦長板５ｆから離間させているので、作動杆５ｇは上動し得る。また、前面体３は上記のように第１アーム２ｃと第２アーム２ｆとにより回転し得るように枢着されているので、演出装飾部材３ｂが前方へ大きく突出してしていても隣の遊技機や球貸機等に衝突することなく、該前面体３を図４に示したように、前方に大きく繰り出すように開けることができる。このため前面体３の裏側や本体４の前面隅部等を点検しメンテナンス作業をすることが容易になる。
【００２０】
また、固定枠１に対し前面体３と本体４とを閉じた状態にて、シリンダ錠６の鍵孔に所定のキーを挿し込んで該キーを反対方向に回転操作し作動杆５ｇを下動させることによっては、フック５ａ，５ｂが下動して係合片１ｆ，１ｇとの係合が解かれ、図１４および図１６に示したように、本体４と前面体３とを共に固定枠１の前方に大きく繰り出すよう開けることができる。このため、本体４の裏側の点検、メンテナンス作業等も容易に行なわれる。このとき遊技機の左側縁では、図１５に示したように、本体４に形成されたリブ４ｋが固定枠１の側辺部１ｃに形成されたリブ１ｅから斜め後方に退避する。このため開閉時にリブ４ｋとリブ１ｅとが干渉することもない。
また、このように本体４と前面体３とを一体的に開けることによっては、前記ロック部材７がロック解除部材１ｈから離間するので、図９に示したように該ロック部材７の下端折曲部７ｅが縦長板５ｆに圧接し作動杆５ｇが上動できないようになる。このためこの状態でキーを回転操作してもフック５ｃ，５ｄ，５ｅと係合孔３ｈ，３ｉ，３ｊとの係合は解かれない。即ち、前面体３と本体４とは、本体４が固定枠１内に収容されていて、ロック解除部材１ｈがロック部材７をロック解除していない限り離脱しないので、図１４または図１６に示したような開状態にある前面体３から本体４が離脱することはなく、離脱によるトラブルが防止される。
なお、前記縁材３ｍおよびリブ４ｍは縦方向に連なるように形成されているので、このように前面体１３を開いたときも図１５に示したように該前面体１３の向かって左側縁では該縁材３ｍとリブ４ｍとが入り組んだ状態にある。このため該前面体１３の裏面に本体１４は合着した状態に保たれ、該前面体１３から本体１４が外れるようなことはない。
【００２１】
このように本発明に係る遊技機は、固定枠１に対し前面体３だけをヒンジ機構２によって開閉可能に枢着し、本体４は該前面体３の裏面に係脱可能に配設してなるので、従来のように本体と前面体とをそれぞれ開閉可能にヒンジするといった複雑な構成とスペースが必要でなくなる。このため、遊技機の構成が簡略化され製造コストが軽減されるとともに、ヒンジ機構が１つであっても前面体３だけでなく本体４についても開閉可能であるので従来どおりの点検、メンテナンス作業を可能にする。
また、本発明ではロック部材７とロック解除部材１ｈをそれぞれ設けたことにより、本体４が固定枠１内に収容されていない限り前面体３が係合解除されないようにしたので、固定枠１内に収容されていない状態で本体４が前面体３から離脱するのを防ぐことができる。従って本体４が離脱しトラブルとなるのを防止できる。
【００２２】
なお、この実施形態では第１アーム２ｃと第２アーム２ｆとからなるヒンジ機構により前面体３を支持するようにしたが、前面体３を公に知られた通常の蝶番または多軸蝶番によって支持していてもよく、その場合も本発明によれば前面体３を支持するだけであって、本体４を支持するための蝶番を別途に設ける必要がないので、構成が簡単になりスペース上も余裕ができるとともにコストが軽減される。
また、この実施形態では施錠装置５を本体４に設け、該施錠装置５によって本体４と前面体３との施錠および該本体４と前記固定枠１との施錠がされるようにしたが、前面体３に施錠装置を設け、該施錠装置によって前面体３と本体４との施錠および前面体３と固定枠１との施錠がされるようにしてもよい。要するに本発明では施錠装置を本体４または前面体３のいずれに設けてもよい。
【符号の説明】
【００２３】
１…固定枠、    １ａ…下辺部、    １ｂ…上辺部、    １ｃ，１ｄ…側辺部、    １ｅ…リブ、    １ｆ，１ｇ…係合片、    １ｉ…前縁部、    １ｈ…ロック解除部材、    ２…ヒンジ機構、    ２ａ…支持基板、    ２ｂ…第１枢着部、    ２ｃ…第１アーム、    ２ｄ…第１軸支部、    ２ｅ…第２枢着部、    ２ｆ…第２アーム、    ２ｇ…第２軸支部、    ２ｈ…アーム外材、    ２ｉ…アーム内材、    ２ｊ…リンク、    ２ｋ…上第１アーム、    ２ｍ…上第１軸支部、    ３…前面体、    ３ａ…透明板、    ３ｂ…演出装飾部材、    ３ｃ…上皿、    ３ｄ…下皿、    ３ｅ…打球発射装置、    ３ｆ，３ｇ…軸受部材、    ３ｈ，３ｉ，３ｊ…係合孔、    ３ｋ…切欠部、    ３ｍ…縁材、    ４…本体、    ４ａ…景品球タンク、    ４ｂ…遊技盤、    ４ｊ…凸部、    ４ｋ，４ｍ…リブ、    ５…施錠装置、    ５ａ〜５ｅ…フック、    ５ａ′〜５ｅ′…先端縁、    ５ｆ…縦長板、    ５ｇ…作動杆、    ５ｈ，５ｉ，５ｍ…引張バネ、    ５ｊ…ピン、    ５ｋ…縦長孔、    ６…シリンダ錠、    ７…ロック部材、    ７ａ…ピン、    ７ｂ…巻曲部、    ７ｃ…巻バネ、    ７ｄ…バネ掛部、    ７ｅ…下端折曲部
【図１】
2018000731.tif 000003
【図２】
2018000731.tif 000004
【図３】
2018000731.tif 000005
【図４】
2018000731.tif 000006
【図５】
2018000731.tif 000007
【図６】
2018000731.tif 000008
【図７】
2018000731.tif 000009
【図８】
2018000731.tif 000010
【図９】
2018000731.tif 000011
【図１０】
2018000731.tif 000012
【図１１】
2018000731.tif 000013
【図１２】
2018000731.tif 000014
【図１３】
2018000731.tif 000015
【図１４】
2018000731.tif 000016
【図１５】
2018000731.tif 000017
【図１６】
2018000731.tif 000018